(57)【特許請求の範囲】
【請求項１】
電極ユニットの中心部に進退動作をする動作軸が貫通し、この動作軸の先端部が電極ユニットから突出した状態で部品の位置決めをするガイドピンとされている形式のものにおいて、前記電極ユニットは、少なくとも導通性のある金属材料製で端部に端蓋を有する断面円形のケース本体と、このケース本体の内部に配置されているとともに前記動作軸が貫通している貫通孔を有する円筒状の断熱部材によって構成されており、この断熱部材を冷却する冷却流体の冷却通路がケース本体の円周方向に周回した状態で設けられ、導通性のある金属材料で作られ静止部材に取り付けられている支持筒と、この支持筒の一端に結合されている前記電極ユニットと、支持筒の他端に絶縁部材を介して結合され前記動作軸を進退させる進退駆動手段が独立したものとされ、
前記端蓋は前記ケース本体の上端にねじ部を介して結合され、前記支持筒の一端に対する前記電極ユニットの結合がねじ部を介して行われていることにより前記電極ユニットが独立した状態で前記支持筒に対して着脱できるように構成され、前記支持筒の他端に配置されている前記絶縁部材がねじ部を介して前記支持筒と前記進退駆動手段に結合されていることにより前記進退駆動手段が独立した状態で前記支持筒に対して着脱できるように構成され、前記断熱部材と前記動作軸との間に空隙が設けられ、前記断熱部材は合成樹脂材料で構成されていることを特徴とする電気抵抗溶接用電極。
【発明の詳細な説明】
【技術分野】
【０００１】  この発明は、電気抵抗溶接用電極に関している。
【背景技術】
【０００２】  電極ユニットの中心部に進退動作をする動作軸が貫通し、この動作軸の先端部を電極ユニットから突出させてガイドピンとし、このガイドピンで部品の位置決めをする形式の電気抵抗溶接用電極が知られている。また、電極内部の絶縁材料に冷却流体の冷却通路を設けることも知られている。
【特許文献１】特許第３８３８５６５号公報
【特許文献２】国際公開第２００４／００９２８０号パンフレット
【発明の開示】
【発明が解決しようとする課題】
【０００３】  上記特許文献１に記載されている電極は、電極本体を構成する外筒の内部に、部品位置決め用のガイドピンや冷却水通路が設置され、外筒の下部にガイドピンを進退させるエアシリンダが結合されている。そして、冷却水通路への冷却水入口と出口が前記エアシリンダの近傍に配置され、冷却水は電極の軸方向に長い水路を通過するようになっている。このような構造であると、外筒の内部にガイドピンや冷却水通路が混在した状態になっているので、例えば、冷却水のシールを交換する場合においては、外筒をエアシリンダから外して内部の構造物を全て分解しなければならず、保守整備が非常に行いにくいこととなる。つまり、電極ユニットの冷却部位と、電極全体を支持し溶接電流の導通を図る支持筒と、ガイドピンを進退させる進退駆動手段とが区分された構造でないために、上述のような問題が発生する。【０００４】  上記特許文献２には、外筒の内部に挿入されている絶縁材料製のガイド筒に冷却水通路を設けることが開示されているが、上述のような電極ユニットの冷却部位と、電極全体を支持し溶接電流の導通を図る支持筒と、ガイドピンを進退させる進退駆動手段との区分構造をどのようにするかについての記載がない。また、ガイドピン進退用の動作軸を円滑に動作させることに関する配慮がなされていない。【０００５】  本発明は、上記の問題点を解決するために提供されたもので、ガイドピンの動作軸を円滑に進退させ、電極の製造や分解整備を行いやすくすることのできる電気抵抗溶接用電極およびその冷却方法の提供を目的とする。
【問題を解決するための手段】
【０００６】  請求項１記載の発明は、電気抵抗溶接用電極についての発明であり、電極ユニットの中心部に進退動作をする動作軸が貫通し、この動作軸の先端部が電極ユニットから突出した状態で部品の位置決めをするガイドピンとされている形式のものにおいて、前記電極ユニットは、少なくとも導通性のある金属材料製で端部に端蓋を有する断面円形のケース本体と、このケース本体の内部に配置されているとともに前記動作軸が貫通している貫通孔を有する円筒状の断熱部材によって構成されており、この断熱部材を冷却する冷却流体の冷却通路がケース本体の円周方向に周回した状態で設けられ、導通性のある金属材料で作られ静止部材に取り付けられている支持筒と、この支持筒の一端に結合されている前記電極ユニットと、支持筒の他端に絶縁部材を介して結合され前記動作軸を進退させる進退駆動手段が独立したものとされ、
前記端蓋は前記ケース本体の上端にねじ部を介して結合され、前記支持筒の一端に対する前記電極ユニットの結合がねじ部を介して行われていることにより前記電極ユニットが独立した状態で前記支持筒に対して着脱できるように構成され、前記支持筒の他端に配置されている前記絶縁部材がねじ部を介して前記支持筒と前記進退駆動手段に結合されていることにより前記進退駆動手段が独立した状態で前記支持筒に対して着脱できるように構成され、前記断熱部材と前記動作軸との間に空隙が設けられ、前記断熱部材は合成樹脂材料で構成されていることを特徴とするものである。
【発明の効果】
【０００７】  前記円筒状の断熱部材を動作軸が貫通し、この動作軸の外周面と断熱部材の貫通孔の内周面との間に所定の空隙が付与され、動作軸が断熱部材内を進退する。前記空隙は、動作軸の外周面が貫通孔の内周面に対して摺動するような微小な空隙とされる場合がある。あるいは、動作軸の外周面と貫通孔の内周面との間に侵入した不純物を収容したり通過させたりして、動作軸の進退抵抗の増大を回避するような空間とされる場合がある。
【０００８】  例えば、プロジェクションナットが鋼板部品に溶接される場合であると、溶着部の熱が前記端蓋からケース本体を経て断熱部材に伝わったり、端蓋から動作軸を経て断熱部材に伝わったりする。そこで、前記断熱部材の冷却がなされていなかったり不十分であったりすると、断熱部材が過度に膨張して貫通孔の内径が縮小する。このような縮小によって、前述の微小な空隙が著しく狭くなって空隙ゼロのような状態になる。このような状態になると、動作軸と貫通孔との間の摩擦抵抗が異常に大きくなり、円滑な動作軸の進退が不可能となる。
【０００９】  本発明においては、断熱部材を冷却する冷却流体の冷却通路がケース本体の円周方向に周回した状態で設けられているので、断熱部材に伝わってきた溶接熱を効果的に奪うことができる。したがって、前述の貫通孔の内径の異常な縮小を回避することができ、動作軸と貫通孔との間の摩擦抵抗の異常増大を防止して、動作軸の円滑な進退動作が確保できる。
【００１０】  また、スパッタや金属片等の不純物を収容したり通過させたりする前述のような場合においても、貫通孔の内径の異常な縮小を回避することにより、空隙の異常縮小を防止して、動作軸と貫通孔との間に不純物が噛み込むことがなく、動作軸の円滑な進退動作が確保できる。
【００１１】  導通性のある金属材料で作られ静止部材に取り付けられている支持筒と、この支持筒の一端に結合されている前記電極ユニットと、支持筒の他端に絶縁部材を介して結合され前記動作軸を進退させる進退駆動手段が独立したものとされている。
【００１２】  このように支持筒と電極ユニットと進退駆動手段が独立したものとされているので、電極の製作においては支持筒と電極ユニットと進退駆動手段の３部分を別々に作り、それらを単純に結合して組み立てるだけであるから、製作が簡単になる。さらに、例えば、冷却流体の漏れを修理するときには、電極ユニットだけを外して分解すればよく、また、進退駆動手段であるエアシリンダの空気漏れを修理するときには、エアシリンダだけを外して分解すればよい。したがって、分解作業が簡素化されて作業効率の向上に効果的である。一方、進退駆動手段は絶縁部材を介して支持筒に結合されているので、動作軸に流れた異常な溶接電流が進退駆動手段から支持筒を経て静止部材へ通電されることが確実に防止できる。また、ガイドピン近傍の熱源に近い箇所に冷却手段を配置することができるので、この冷却手段において確実に断熱を図り、支持筒や進退駆動手段への熱流を遮断できる。
【００１３】  前記冷却通路は、前記断熱部材とケース本体との間に形成されている。
【００１４】  前記断熱部材とケース本体との間において溶接熱を奪うものであるから、熱源の近くで確実な断熱が図られ、支持筒や進退駆動手段への熱的影響を最小化することができる。
【００１５】  前記冷却通路は、前記断熱部材の外周部に形成されている。
【００１６】  前記冷却通路を断熱部材の外周部に形成することにより、断熱部材の部位において確実な断熱が図られ、支持筒や進退駆動手段への熱的影響を最小化することができる。そして、断熱部材の外周部に冷却通路が形成されることにより、この冷却通路の箇所における断熱部材の肉厚が薄くなるのでこの部分の熱膨張量が少なくなり、熱膨張による前記貫通孔の内径縮小を大幅に低減させることができる。
【００１７】  前記断熱部材と動作軸との間に空隙が設けられている。
【００１８】  この空隙を所定値に設定することにより、スパッタや鉄くずのような不純物が空隙に侵入してきても、それを収容したり通過させたりすることができ、動作軸と貫通孔との間に不純物が噛み込むことがなく、動作軸の円滑な進退動作が確保できる。
【００１９】  前記断熱部材に動作軸が摺動する状態で貫通させてある。
【００２０】  貫通孔の内面に動作軸の外周面が摺動するような状態であっても、貫通孔の内径の異常な縮小を回避することができるので、動作軸と貫通孔との間の摩擦抵抗の異常増大を防止して、動作軸の円滑な進退動作が確保できる。
【００２１】  前記冷却通路は、電極ユニットの軸線方向で見て断熱部材に動作軸が貫通している箇所にほぼ対応させた状態で配置してある。
【００２２】  このように動作軸が断熱部材を貫通している部分の大半が冷却通路で冷却されるので、電極軸線方向の冷却範囲を大きく設定することができて、冷却効果が向上する。
【００２３】  前記断熱部材は、絶縁性のある非金属材料で作られている。
【００２４】  このように絶縁性のある非金属材料で断熱部材が作られているので、動作軸が貫通孔内面を摺動する場合であっても、動作軸へ流れた異常な電流がケース本体の方へ短絡することが防止できる。また、このような材料であると熱膨張量が大きいので、冷却が不十分であれば貫通孔の内径の縮小が大きくなり、動作軸の円滑な進退動作に悪影響を及ぼすことになる。しかし、前述のような冷却がなされるので、このような材料であっても支障なく機能させることができる。
【発明を実施するための最良の形態】
【００２９】  つぎに、本発明の電気抵抗溶接用電極を実施するための最良の形態を説明する。
【実施例１】
【００３０】  図１は、実施例１を示す。【００３１】  図１（Ａ）は電気抵抗溶接用電極全体の断面図、同図（Ｂ）は同図（Ａ）のＢ−Ｂ断面図、同図（Ｃ）は同図（Ａ）のＣ−Ｃ断面図である。電気抵抗溶接用電極全体は符号１００で示されている。以下、電気抵抗溶接用電極を単に電極と表現する場合もある。【００３２】  電極１００の全体的構成を説明する。【００３３】  電極１００は、ほぼ鉛直方向に配置されている。クロム銅のような導通性のある金属材料で作られ支持筒１は断面が円形で、支持筒１と同様な材料で作られた支持部材２を介して静止部材３に結合されている。この静止部材３は、溶接機の支柱のような部材である。支持部材２には支持筒１が貫通している支持孔４が設けられ、この支持孔４において支持筒１を締め付けて支持筒１の固定をするようになっている。【００３４】  支持筒１の上端部にねじ部５を介して電極ユニット６が結合してある。この電極ユニット６に鋼板部品７が載置され、そこにプロジェクションナット８が溶接される。ここでは電極ユニット６が固定電極とされ、それに対向する可動電極９が設けられている。なお、可動電極９を進退させる構造の図示は省略してある。【００３５】  一方、支持筒１の下端部には、絶縁部材１０を介して進退駆動手段であるエアシリンダ１２が結合してある。絶縁部材１０は、ポリアミド樹脂やポリプロピレン樹脂等の合成樹脂で作られ、円筒状とされている。絶縁部材１０の上側のねじ部１３を介して支持筒１の下部と結合され、絶縁部材１０の下側のねじ部１４を介してエアシリンダ１２と結合されている。電極１００内を貫通している動作軸１５にエアシリンダ１２のピストンロッド１６が結合され、エアシリンダ１２の進退出力で動作軸１５が進退するようになっている。【００３６】  つぎに、電極ユニットについて説明する。【００３７】  電極ユニット６は、クロム銅のような導通性のある金属材料で作られた断面円形のケース本体１７内に、円筒状の断熱部材１８が挿入されている。ケース本体１７の上端には、ねじ部１９を介して端蓋２０が結合してあり、この端蓋２０の上に鋼板部品７が載置される。ケース本体１７の下端には、ねじ部２１を介して端部材２２が結合してある。断熱部材１８の中心部に貫通孔２３があけられ、ここを動作軸１５が貫通している。【００３８】  断熱部材１８の外周部に円周方向に周回させた状態で冷却通路２５が設けてある。ここでの冷却流体は水であり、冷却通路２５に連通する入口管２６と出口管２７がほぼ向かい合った位置関係で設けられている。冷却水のシールをするために、断熱部材１８の上下にＯリング２８が配置してある。冷却通路２５は、電極ユニット６の軸線方向で見て断熱部材１８に動作軸１５が貫通している箇所にほぼ対応させた状態で配置してある。つまり、冷却通路２５の軸線方向の幅は断熱部材１８の長さにできるだけ近い寸法とされている。【００３９】  動作軸１５が電極ユニット６を貫通している部分の上側は、ねじ部２９を介してガイドピン３０が接合してあり、ガイドピン３０だけを交換できるようにしてある。このガイドピン３０が電極ユニット６から突出していて鋼板部品７の下孔３１やプロジェクションナット８のねじ孔３２を貫通して���品の位置決めを行っている。【００４０】  端蓋２０にあけられた通孔３３の内径はガイドピン３０の外径よりも大きく設定してあり、ガイドピン３０が通孔３３の内面に接触しないようになっている。そのために、絶縁材料で作られたガイド筒３４が通孔３３にはめ込まれ、ガイドピン３０が摺動自在な状態でガイド筒３４を貫通している。通孔３３の内径は６ｍｍ、ガイドピン３０の外径は５ｍｍであり、これによって形成された環状の空隙は０．５ｍｍである。【００４１】  また、貫通孔２３の内径は６ｍｍ、この部分を貫通している動作軸１５の外径は５ｍｍであり、これによって形成された環状の空隙３５は０．５ｍｍである。ガイド筒３４を通過した微細なスパッタや金属片は、この空隙３５を通過して支持筒１内へ排出される。【００４２】  断熱部材１８を構成する材料としては、加工性の良好な合成樹脂が用いられている。例えば、ポリアミド樹脂やポリプロピレン樹脂等が用いられる。他方、断熱部材１８をアルミニウムや銅合金のような熱伝導性の良好な材料で作ることもできる。この実施例では、ポリアミド樹脂である。【００４３】  入口管２６から流入した冷却水は図１（Ｃ）から明らかなように、左右に分流し冷却通路２５を周回して出口管２７から出て行く。したがって、溶着部からの溶接熱は、端蓋２０、ケース本体１７を経て冷却通路２５に伝熱される。また、ガイドピン３０からガイド筒３４や端蓋２０を経て断熱部材１８に伝わり、冷却通路２５へ伝熱される。このような熱流経路をへて冷却通路２５に伝わった溶接熱は、冷却水で奪われてそれよりも下方への熱伝導が抑制される。【００４４】  したがって、断熱部材１８自体の温度が低く押さえられることとなり、それにともなって断熱部材１８の熱膨張量が低減し、貫通孔２３の内径の縮小も許容範囲になる。例えば、前述の空隙３５が０．５ｍｍから０．４７ｍｍに減少するのにとどまり、スパッタや鉄くずのような不純物が空隙３５に詰まったりすることがなく、動作軸１５の円滑な進退動作が確保される。そして、熱源である溶着部に近い箇所に冷却通路２５を配置することができるので、溶接熱が電極１００の下方へ伝熱されて熱的悪影響が発生するようなことがない。【００４５】  なお、プロジェクションナット８は四角い形状のものでその中央部にねじ孔３１があけられ、片側の四隅に溶着用突起１１が設けられている。四角い部分の寸法は１２ｍｍ×１２ｍｍであり、厚さは６ｍｍである。ねじ孔３２の内径は４．８ｍｍである。また、可動電極９が下降してきてプロジェクションナット８の上面に当たると、それとほぼ同時にエアシリンダ１２によって動作軸１５が下降して溶着用突起１１が鋼板部品７に加圧され、それに引き続いて溶接電流が通電される。【００４６】  溶接電流は、可動電極９、プロジェクションナット８、溶着用突起１１、鋼板部品７、端蓋２０、ケース本体１７、端部材２２，支持筒１、支持部材２へと流れる。万一、ガイドピン３０に溶接電流が流れても、絶縁部材１０において通電が遮断され、通電回路が不成立となって異常通電が防止される。【００４７】  つぎに、進退駆動手段について説明する。【００４８】  進退駆動手段は、動作軸１５に進退動作を行わせるものであれば��く、エアシリンダや進退出力をする電動モータが使用される。この実施例では、前述のようにエアシリンダ１２である。【００４９】  図１（Ｄ）は、冷却通路２５の変形例を示している。ここでは、冷却通路２５がヘッド本体１７の内側に円周方向に設けた冷却溝３６によって構成されている。それ以外の構成は、図示されていない部分も含めて先の例と同じであり、同様な機能の部材には同一の符号が記載してある。【００５０】  上述の動作は、一般的に採用されている制御手法で容易に行わせることが可能であり、制御装置またはシーケンス回路からの動作信号で動作する空気切換弁や、エアシリンダの所定位置で信号を発して前記制御装置に送信するセンサー等を組み合わせることによって確保することができる。【００５１】  以上に説明した実施例１の作用効果は、つぎのとおりである。【００５２】  前記円筒状の断熱部材１８を動作軸１５が貫通し、この動作軸１５の外周面と貫通孔２３の内周面との間に所定の空隙３５が付与され、動作軸１５が断熱部材１８内を進退する。前記空隙３５は、動作軸１５の外周面と貫通孔２３の内周面との間に侵入した不純物を収容したり通過させたりして、動作軸１５の進退抵抗の増大を回避するような空間とされる。【００５３】  例えば、プロジェクションナット８が鋼板部品７に溶接される場合であると、溶着部の熱が前記端蓋２０からケース本体１７を経て断熱部材１８に伝わったり、端蓋２０から動作軸１５を経て断熱部材１８に伝わったりする。そこで、前記断熱部材１８の冷却がなされていなかったり不十分であったりすると、断熱部材１８が過度に膨張して貫通孔２３の内径が縮小する。このような縮小によって、前述の空隙３５が著しく狭くなり、スパッタや金属片等の不純物を収容したり通過させたりすることが不可能となる。なお、このような不純物は、ガイド筒３４の箇所に設定されているわずかな摺動空隙を通過して空隙３５に到達するものである。【００５４】  上述のように断熱部材１８を冷却する冷却流体の冷却通路２５がケース本体１７の円周方向に周回した状態で設けられているので、断熱部材１８に伝わってきた溶接熱を効果的に奪うことができる。したがって、前述の貫通孔２３の内径の異常な縮小を回避することができ、動作軸１５と貫通孔２３との間に不純物が噛み込むことがなく、動作軸１５の円滑な進退動作が確保できる。【００５５】  導通性のある金属材料で作られ静止部材に取り付けられている支持筒１と、この支持筒１の一端に結合されている前記電極ユニット６と、支持筒１の他端に絶縁部材１０を介して結合され動作軸１５を進退させるエアシリンダ１２が独立したものとされている。【００５６】  このように支持筒１と電極ユニット６と進退駆動手段であるエアシリンダ１２が独立したものとされているので、電極１００の製作においては支持筒１と電極ユニット６とエアシリンダ１２の３部分を別々に作り、それらを単純に結合して組み立てるだけであるから、製作が簡単になる。さらに、例えば、冷却流体の漏れを修理するときには、電極ユニット６だけを外して分解すればよく、また、エアシリンダ１２の空気漏れを修理するときには、エアシリンダ１２だけを外して分解すればよい。したがって、分解���業が簡素化されて作業効率の向上に効果的である。一方、エアシリンダ１２は絶縁部材１０を介して支持筒１に結合されているので、動作軸１５に流れた異常な溶接電流がエアシリンダ１２から支持筒１を経て静止部材３へ通電されることが確実に防止できる。また、ガイドピン３０の近傍の熱源に近い箇所に冷却通路２５を配置することができるので、この部位において確実に断熱を図り、支持筒１やエアシリンダ１２への熱流を遮断できる。【００５７】  前記冷却通路２５は、前記断熱部材１８とケース本体１７との間に形成されている。【００５８】  前記断熱部材１８とケース本体１７との間において溶接熱を奪うものであるから、熱源の近くで確実な断熱が図られ、支持筒１やエアシリンダ１２への熱的影響を最小化することができる。【００５９】  前記冷却通路２５は、前記断熱部材１８の外周部に形成されている。【００６０】  前記冷却通路２５を断熱部材１８の外周部に形成することにより、断熱部材１８の部位において確実な断熱が図られ、支持筒１やエアシリンダ１２への熱的影響を最小化することができる。そして、断熱部材１８の外周部に冷却通路２５が形成されることにより、この冷却通路２５の箇所における断熱部材１８の肉厚が薄くなるのでこの部分の熱膨張量が少なくなり、熱膨張による前記貫通孔２３の内径縮小を大幅に低減させることができる。【００６１】  前記断熱部材１８と動作軸１５との間に空隙３５が設けられている。【００６２】  この空隙３５を所定値に設定することにより、スパッタや鉄くずのような不純物が空隙３５に侵入してきても、それを収容したり通過させたりすることができ、動作軸１５と貫通孔２３との間に不純物が噛み込むことがなく、動作軸１５の円滑な進退動作が確保できる。【００６３】  前記冷却通路２５は、電極ユニット６の軸線方向で見て断熱部材１８に動作軸１５が貫通している箇所にほぼ対応させた状態で配置してある。【００６４】  このように動作軸１５が断熱部材１８を貫通している部分の大半が冷却通路２５で冷却されるので、電極軸線方向の冷却範囲を大きく設定することができて、冷却効果が向上する。【００６５】  前記断熱部材１８は、絶縁性のある非金属材料で作られている。【００６６】  このように絶縁性のある非金属材料で断熱部材１８が作られているので、万一、空隙３５に鉄くずが噛み込んでも、動作軸１５へ流れた異常な電流がケース本体１７の方へ短絡することが防止できる。また、このような材料であると熱膨張量が大きいので、冷却が不十分であれば貫通孔２３の内径の縮小が大きくなり、動作軸１５の円滑な進退動作に悪影響を及ぼすことになる。しかし、前述のような冷却がなされるので、このような材料であっても支障なく機能させることができる。
【実施例２】
【００７１】  図２は、実施例２を示す。【００７２】  この実施例２は、動作軸１５が貫通孔２３の内面を摺動しているものであり、それにともなって前述のガイド筒３４をなくしてある。したがって、前述の空隙３５は形成されておらず、動作軸１５が貫通孔２３の内面に摺動するのに必要な最小限度の微小な空隙が付与されている。それ以外の構成は、図示されていない部分も含めて先の実施例１と同じであり、同様な機能の部材には同一の符号が記載してある。【００７３】  以上に説明した実施例２の作用効果は、つぎのとおりである。【００７４】  例えば、プロジェクションナット８が鋼板部品７に溶接される場合であると、溶着部の熱が前記端蓋２０からケース本体１７を経て断熱部材１８に伝わったり、端蓋２０から動作軸１５を経て断熱部材１８に伝わったりする。そこで、前記断熱部材１８の冷却がなされていなかったり不十分であったりすると、断熱部材１８が過度に膨張して貫通孔２３の内径が縮小する。このような縮小によって、前述の微小な空隙が著しく狭くなって空隙ゼロのような状態になる。このような状態になると、動作軸１５と貫通孔２３との間の摩擦抵抗が異常に大きくなり、円滑な動作軸１５の進退が不可能となる。【００７５】  本実施例においては、断熱部材１８を冷却する冷却流体の冷却通路２５がケース本体１７の円周方向に周回した状態で設けられているので、断熱部材１８に伝わってきた溶接熱を効果的に奪うことができる。したがって、前述の貫通孔２３の内径の異常な縮小を回避することができ、前記摺動部分の摩擦抵抗の異常増大を防止して、動作軸１５の円滑な進退動作が確保できる。【００７６】  前記断熱部材１８は、絶縁性のある非金属材料で作られている。【００７７】  このように絶縁性のある非金属材料で断熱部材１８が作られているので、動作軸１５が貫通孔２３の内面を摺動していても、動作軸１５へ流れた異常な電流がケース本体１７の方へ短絡することが防止できる。また、このような材料であると熱膨張量が大きいので、冷却が不十分であれば貫通孔２３の内径の縮小が大きくなり、動作軸１５の円滑な進退動作に悪影響を及ぼすことになる。しかし、前述のような冷却がなされるので、このような材料であっても支障なく機能させることができる。それ以外の作用効果は、先の実施例１と同じである。
【実施例３】
【００７８】  図３は、実施例３を示す。【００７９】  この実施例３は、断熱部材１８の下側から圧縮空気を送り込んで、電極ユニット６内にスパッタや鉄くずのような不純物が侵入しないようにしたものである。断熱部材１８の下側に動作軸１５が貫通する給気筒３８が挿入され、その外周に設けた円周方向の環状溝３９が設けてある。この環状溝３９から給気筒３８の内側に空気を送り込むための通気孔４０があけられている。そして、環状溝３９に空気を供給する給気管４１がケース本体１７に取り付けられている。それ以外の構成は、図示されていない部分も含めて先の各実施例と同じであり、同様な機能の部材には同一の符号が記載してある。【００８０】  給気管４１から供給された圧縮空気は、環状溝３９、通気孔４０をへて給気筒３８の内側に供給される。これによって、圧縮空気が動作軸１５と給気筒３８との間の空隙と、動作軸１５と断熱部材１８との間の空隙を通過して通孔３３から噴出する。したがって、通孔３３とガイドピン３０との間の空隙から侵入しようとするスパッタや鉄くず等の不純物が排出される。それ以外の作用効果は、先の各実施例と同じである。
【実施例４】
【００８１】  図４は、実施例４を示す。【００８２】  この実施例４は、部品を前述のプロジェクションナット８に換えて軸状部品にしたものである。軸状部品としては種々なものがあるが、ここではプロジェクションボルト４２である。これは、雄ねじが設けられた軸部４３とそれと一体のフランジ部４４とフランジ部４４に形成された溶着用突起４５によって構成されている。図４（Ｂ）に示すように、ガイドピン３０の先端部に凹部４６が設けられ、ここに軸部４３の先端部が受け入れられている。【００８３】  そして、プロジェクションボルト４２は、ガイドピン３０と可動電極９によって挟み付けられた状態で、動作軸１５の後退とともに通孔３３内に進入する。この進入の過渡期に軸部４３の先端が凹部４６にはまり込んでいるので、軸部４３とガイドピン３０の芯合わせが正確になされる。プロジェクションボルト４２が通孔３３内に進入しきると、溶接電流が通電されて溶接される。それ以外の構成は、図示されていない部分も含めて先の各実施例と同じであり、同様な機能の部材には同一の符号が記載してある。そして、それ以外の作用効果は、先の各実施例と同じである。
【産業上の利用可能性】
【００８４】  上述のように、本発明によれば、ガイドピンの動作軸を円滑に進退させ、電極の製造や分解整備を行いやすくすることができるので、自動車の車体溶接工程や、家庭電化製品の板金溶接工程などの広い産業分野で利用できる。
【図面の簡単な説明】
【００８５】
【図１】実施例１の電極全体と各部の断面図である。
【図２】実施例２の電極全体と一部の断面図である。
【図３】実施例３の電極全体の断面図である。
【図４】実施例４の電極全体と要部の断面図である。
【符号の説明】
【００８６】  １    支持筒
２    支持部材
６    電極ユニット
７    鋼板部品
８    プロジェクションナット
１０    絶縁部材
１２    エアシリンダ、進退駆動手段
１５    動作軸
１７    ケース本体
１８    断熱部材
２０    端蓋
２３    貫通孔
２５    冷却通路
３０    ガイドピン
３３    通孔
３４    ガイド筒
３５    空隙
３６    冷却溝
４２    プロジェクションボルト
４６    凹部
【図１】
0004984295.tif 000002
【図２】
0004984295.tif 000003
【図３】
0004984295.tif 000004
【図４】
0004984295.tif 000005